(57)【要約】【課題】  適度な厚みを持つ多孔質部材を振動板前方方向に設けることにより、干渉する音波の打消、変化を軽減し、音質の向上を計るスピーカー音質改善装置を提供する。【解決手段】  多孔質吸音部材を、スピーカーにおける振動板の前方所要位置に、少なくとも１つ設けてなることを特徴とする。【選択図】  図１
2005027263.tif 000002
【特許請求の範囲】
【請求項１】
多孔質吸音部材を、スピーカーにおける振動板の前方所要位置に、少なくとも１つ設けてなることを特徴とするスピーカー音質改善装置。
【請求項２】
多孔質吸音部材を、ネットの内側に設けてなることを特徴とする請求項１記載のスピーカー音質改善装置。
【請求項３】
多孔質吸音部材を、ネットの外側に設けてなることを特徴とする請求項１又は２記載のスピーカー音質改善装置。
【請求項４】
多孔質吸音部材を、コーン型スピーカーにおけるコーン型振動板のエッジより内側に設けたことを特徴とする請求項１、２又は３記載のスピーカー音質改善装置。
【請求項５】
多孔質吸音部材を、コーン型振動板の中央部に設けてなることを特徴とする請求項１、２、３又は４記載のスピーカー音質改善装置。
【請求項６】
多孔質吸音部材を、コーン型振動板の外周内側円周状に設けてなることを特徴とする請求項１、２、３、４又は５記載のスピーカー音質改善装置。
【請求項７】
多孔質吸音部材を、略円柱形状とすることを特徴とする請求項１、２、３、４、５又は６記載のスピーカー音質改善装置。
【請求項８】
多孔質吸音部材を、略円錐形状とすることを特徴とする請求項１、２、３、４、５、６又は７記載のスピーカー音質改善装置。
【請求項９】
多孔質吸音部材の厚みを５ｍｍ以上とすることを特徴とする請求項１、２、３、４、５、６、７又は８記載のスピーカー音質改善装置。
【発明の詳細な説明】
【技術分野】
【０００１】  この発明は、スピーカーにおける振動板の前方所要位置に、適度な厚みの多孔質部材を設けてなるスピーカー音質改善装置に関するものである。
【背景技術】
【０００２】  従来の技術としては、振動板となる円錐状をなすコーンの直径の小さい基部にボイスコイルを取り付け、これに近接して、ヨークの内側に取り付けたマグネットを設け、前記コーンの基部側の外周フレームの内側に設けたダンパーで支技し、コーンの直径の拡大した全面側エッジ部とコーンを囲むフレームの全面周縁との間を離間させると共に、コーンの基部側内側に支持キャップを接続し、この支持キャップの全面側にネットを張り付け、このネットと直交して支柱の基端を接続すると共に、この支柱の先端と前記フレームの全面周縁とを支持アームを介して連結し、コーンを基部側のダンパーと中央側とで支持したことを特徴とするエッジレススピーカーがある。（特許文献１参照）【０００３】
【特許文献１】          特開平７−１７０５９６公開特許公報（特許請求の範囲、図１）
【発明の開示】
【０００４】
【発明が解決しようとする課題】
しかし、上記のような形態は、コーンの基部側の内周部は、円筒篭状の支持キャップと支柱と支持アームを介してフレームの前面周縁に連結されて支持されコーンの倒れを防止するのが主な目的で開発されたもので、本発明のようなコーン前方中心付近において発生する音波の打消、変化を軽減する措置が講じられていない為、音質が大幅に劣化している現状である。
本発明は上記の問題点に鑑みなされたもので、適度な厚みを持つ多孔質部材を振動板前方方向に設けることにより、干渉する音波の打消、変化を軽減し、音質の向上を計るスピーカー音質改善装置を提供することを目的とする。
【課題を解決するための手段】
【０００５】  課題を解決するための手段として、多孔質吸音部材を、スピーカーにおける振動板の前方所要位置に、少なくとも１つ設けてなること。また、多孔質吸音部材を、ネットの内側に設けてなること。多孔質吸音部材を、ネットの外側に設けてなること。さらに、多孔質吸音部材を、コーン型スピーカーにおけるコーン型振動板のエッジより内側に設けたこと。多孔質吸音部材を、コーン型振動板の中央部に設けてなること。多孔質吸音部材を、コーン型振動板の外周内側円周状に設けてなること。さらにまた、多孔質吸音部材を、略円柱形状とすること。多孔質吸音部材を、略円錐形状とすること。その上、多孔質吸音部材の厚みを５ｍｍ以上とすることを特徴とする。
【発明の効果】
【０００６】１）、多孔質吸音部材を、スピーカーにおける振動板の前方所要位置に設けることにより、不要な音波の干渉による周波数の変化が減少するので、聴感上自然な音色となる。
２）、音波の打消が減少するので、微細な音の再生が可能となり、音場に広がりが感じられるようになる。
３）、多孔質吸音部材を、ネットの内側に設けることにより、特にコーン（エッジ）の内側における音の干渉や打消を減少させることができる。
４）、多孔質吸音部材を、ネットの外側に設けることにより、特にコーン（エッジ）の外側における音の干渉や打消を減少させることができる。
５）、多孔質吸音部材を、中央部に設けることにより、特に中央部で発生する音の干渉や打消を減少させることができる。
６）、多孔質吸音部材を、外周内側円周状に設けることにより、特に円周部で発生する音の干渉や打消を減少させることができる。
７）、多孔質吸音部材を、略円柱形状や略円錐形状とすることにより、効率良く音の干渉や打消を減少させることができる。
８）、多孔質吸音部材の厚みを５ｍｍ以上とすることにより効果を確認できた。
【発明を実施するための最良の形態】
【０００７】
【実施例１】  このスピーカー音質改善装置１は、ロックウールやグラスウール等による多孔質吸音部材１ａを略円柱形状に形成し、底面に両面テープ等による取付部１ｂを設けてなるものである。
なお、直径や厚みはスピーカーの大きさにより設定すればよいが、少なくとも厚みは５ｍｍ以上が望ましい。
つぎに、従来型のコーンスピーカーＫＳの構造を説明する。
ヨークＹの内側にマグネットＭが取り付けられ、この内側にコーン型振動板Ｓを設け、ダンパーＤにて支技され、フレームＦの先端部をキャビネットＫにビス止め等にて固定されてなるもので、前面にネットＮ（着脱自在）を設けて使用してなるものである。【０００８】  この従来型のコーンスピーカーＫＳは、音（音楽）を流すと、コーン型振動板Ｓから発生する一部の音波Ｏ１−−−がネットＮの手前で互いに干渉し、周波数や方向性を変化させて拡散する複数の音波群Ｏ２へと変化する。
このように変化した音波群Ｏ２が、リスナーの耳に違和感として届く。
また、音波Ｏ３は、コーン型振動板Ｓの反対方向に当たり、この時、コーン型振動板Ｓへの音波妨害要因として大きく働くので、コーン型振動板Ｓから発生する音波Ｏ４の周波数が変化し、正確な音の再生の妨げになっている。【０００９】  つづいて、スピーカー音質改善装置１の使用例について下記に述べる。
まず、ネットＮの内側のコーン型振動板Ｓの中央部にスピーカー音質改善装置１の取付部１ｂを貼り付け、コーン型振動板Ｓの中央に突設する。
この状態で、コーンスピーカーＫＳから音（音楽）を流すと、コーン型振動板Ｓから発生する一部の干渉する音波Ｏ５−−−がスピーカー音質改善装置１に吸収され、クリアーな音（音楽）がリスナーの耳に届くものである。
【実施例２】
【００１０】  つぎに、第２実施例におけるスピーカー音質改善装置２１について下記に述べる。
このスピーカー音質改善装置２１は、スピーカー音質改善装置１の背面に取り付けたもので、ネットＮの外側に設けてなるものである。【００１１】  このスピーカー音質改善装置２１は、コーン型振動板Ｓの外周付近から発生する音波Ｏ６−−−がスピーカー音質改善装置２１にて吸収され、クリアーな音（音楽）がリスナーの耳に届くものである。
つまり、音波Ｏ６−−−はネットＮの外側にて干渉するもので、このように、ネットＮの外側にもスピーカー音質改善装置２１を設けることによる効果がある。
【実施例３】
【００１２】  つぎに、第３実施例のスピーカー音質改善装置３１について説明する。
スピーカー音質改善装置３１は、ネットＮの内側のコーン型振動板Ｓの中央部及び外周内側円周状に取り付けてなるもので、中央部用３１ａを長くし、外周内側円周状用３１ｂを短くしてなるものである。（本実施例の場合５本で構成している。）【００１３】  このスピーカー音質改善装置３１は、コーン型振動板Ｓ内全体で乱反射する音波Ｏ７−−−について吸収することができ、よりクリアーな音（音楽）がリスナーの耳に届くものである。
【実施例４】
【００１４】  つぎに、第４実施例のスピーカー音質改善装置４１について説明する。
スピーカー音質改善装置４１は、多孔質吸音部材４１ａを、略円錐形状に形成し、底面に両面テープ等による取付部４１ｂを設けてなるもので、使用方法は、上記各実施例と同じである。
【実施例５】
【００１５】  つぎに、第５実施例のスピーカー音質改善装置５１について説明する。
スピーカー音質改善装置５１は、多孔質吸音部材５１ａを板状に形成してなるもので、外形５１ａ１をコーン型振動板の形状に合せて形成してなるもので、より緻密な吸音効果を得ることができるものである。
【産業上の利用可能性】
【００１６】  上記各実施例から分かるように、本来振動板の表面は細かな凸凹状に形成されており、振動板から発生する音（音楽）が干渉するのは当然のことで、これによりノイズが発生し、本来の音（音楽）を聞くことができなかった。
本スピーカー音質改善装置は、主にネットＮに簡単に取り付けるだけで、ノイズを吸収することができ、クリアーな音（音楽）を聞くことができ、産業上の利用可能性は大である。
なお、スピーカーはコーン型スピーカーに限定せず、他のスピーカーにも応用できるものである。
【図面の簡単な説明】
【００１７】
【図１】  本発明のスピーカー音質改善装置の第１実施例を示す斜視図。
【図２】  従来例のスピーカーの干渉状態を示す一部縦断側面図。
【図３】  従来例のスピーカーの干渉状態を示す別の一部縦断側面図。
【図４】  本発明のスピーカー音質改善装置の第１実施例の使用状態を示す一部縦断側面図。
【図５】  本発明のスピーカー音質改善装置の第２実施例の使用状態を示す一部縦断側面図。
【図６】  本発明のスピーカー音質改善装置の第３実施例の使用状態を示す一部縦断側面図。
【図７】  本発明のスピーカー音質改善装置の第３実施例の使用状態を示す正面図。
【図８】  本発明のスピーカー音質改善装置の第４実施例を示す斜視図。
【図９】  本発明のスピーカー音質改善装置の第５実施例を示す斜視図。
【符号の説明】
１−−−スピーカー音質改善装置
１ａ−−多孔質吸音部材
１ｂ−−取付部
ＫＳ−−コーンスピーカー
Ｎ−−−ネット
【図１】
2005027263.tif 000003
【図２】
2005027263.tif 000004
【図３】
2005027263.tif 000005
【図４】
2005027263.tif 000006
【図５】
2005027263.tif 000007
【図６】
2005027263.tif 000008
【図７】
2005027263.tif 000009
【図８】
2005027263.tif 000010
【図９】
2005027263.tif 000011